(57)【要約】      （修正有）【課題】患者の基本情報が音節または単語単位で入力されて患者情報を提供するシステム及び方法を提供する。【解決手段】システム及び方法は、患者の基本情報及び追加情報を含む患者情報のデータベースを設け、ユーザにより基本情報が音節または単語単位で入力され、入力された各音節または単語を含む基本情報をデータベースから検出し、検出された基本情報を含む基本情報候補リストを提供する。【選択図】図１
2008293489.tif 000002
【特許請求の範囲】
【請求項１】
患者の基本情報及び追加情報を含む患者情報を格納するデータベースと、
ユーザ入力が音節または単語単位で入力される入力部と、
前記入力された各音節または単語を含む基本情報を前記データベースから検出し、前記検出された基本情報を含む基本情報候補リストを形成するプロセッサと、
前記基本情報候補リストをディスプレイするディスプレイ部と
を備えることを特徴とする患者情報提供システム。
【請求項２】
前記基本情報は患者のＩＤ、名前及び生年月日を含み、
前記追加情報は診療科目、身体状態、疾病記録、診療記録、担当医師及び患者の写真を含むことを特徴とする、請求項１に記載の患者情報提供システム。
【請求項３】
前記プロセッサは、前記ユーザ入力を入力することができる入力窓を形成し、前記入力された各音節または単語と同一の基本情報を前記データベースから検出し、前記検出した基本情報に基づいて前記基本情報候補リストを形成することを特徴とする、請求項２に記載の患者情報提供システム。
【請求項４】
前記入力窓に入力される基本情報は前記ＩＤ、前記名前及び前記生年月日のうちの一つであることを特徴とする、請求項３に記載の患者情報提供システム。
【請求項５】
前記入力部は、ユーザにより前記基本情報候補リストから１つの基本情報を選択する選択情報が入力され、
前記プロセッサは、前記選択情報に基づいて前記データベースを照会して前記選択情報に該当する追加情報を検出し、前記検出された追加情報を前記ディスプレイ部を通じて提供することを特徴とする、請求項４に記載の患者情報提供システム。
【請求項６】
患者の基本情報及び追加情報を含む患者情報のデータベースを設け、
ユーザによりユーザ入力が音節または単語単位で入力され、
前記データベースから前記各音節または単語を含む基本情報を検出し、
前記検出された基本情報を含む基本情報候補リストを提供する段階を備えることを特徴とする患者情報提供方法。
【請求項７】
前記基本情報は患者のＩＤ、名前及び生年月日を含み、
前記追加情報は診療科目、身体状態、疾病記録、診療記録、担当医師及び患者の写真を含むことを特徴とする、請求項６に記載の患者情報提供方法。
【請求項８】
前記段階は、
ａ）入力部を通じて前記ユーザ入力が最初の音節または単語で入力される段階と、
ｂ）前記入力された最初の音節または単語と同一の基本情報を前記データベースから検出する段階と、
ｃ）前記検出された基本情報に基づいて第１基本情報候補リストを形成してディスプレイする段階と、
ｄ）前記入力部を通じて基本情報の２番目の音節または単語が入力されるかまたは前記第１の基本情報候補リストのうちから１つの基本情報が選択されるかを判断する段階と、
ｅ）前記基本情報の２番目の音節または単語が入力されたものと判断されると、前記入力された２番目の音節または単語と同一の基本情報を前記第１の基本情報候補リストから検出し、前記検出された基本情報に基づいて第２の基本情報候補リストを形成してディスプレイする段階と、
ｆ）前記第１基本情報候補リストの中から１つの基本情報が選択されたものと判断されると、前記選択された基本情報に該当する追加情報を前記データベースから検出し、検出された追加情報に基づいて追加情報提供窓を形成してディスプレイする段階と
を備えることを特徴とする、請求項７に記載の患者情報提供方法。
【請求項９】
前記段階ａ）は、
前記ＩＤ、前記名前及び前記生年月日のうちの一つの最初の音節または単語が入力される段階
を備えることを特徴とする、請求項８に記載の患者情報提供方法。
【発明の詳細な説明】
【技術分野】
【０００１】
本発明は、超音波装備に関し、特に超音波装備で患者情報を提供するシステム及び方法に関するものである。
【背景技術】
【０００２】
超音波装備は、多様に応用されている重要な診断装備のうちの一つである。特に、超音波装備は対象体に無侵襲及び非破壊特性を有しているため、医療分野で広く用いられている。近来の高性能超音波装備は、対象体内部の２次元または３次元映像を生成するのに用いられる。
【０００３】
一般に、超音波装備はプローブ、ビームフォーマ、信号処理部、映像処理部、ディスプレイ部及び入力部を備える。超音波信号を送受信するためのプローブは超音波信号と電気的信号とを相互変換するための多数の変換素子を備える。プローブの各変換素子は別個に超音波信号を発生させたり、複数の変換素子が同時に超音波信号を発生させたりもする。各変換素子で送信された超音波信号は、対象体の内部の音響インピーダンス（Ａｃｏｕｓｔｉｃ  ｉｍｐｅｄａｎｃｅ）の不連続面（反射体表面）で反射される。各変換素子は個別に反射された超音波信号を電気的信号に変換して受信信号を形成する。ビームフォーマは、対象体の集束点と各変換素子の位置を考慮して超音波信号の送信集束及び受信集束をする。信号処理部は、受信信号のアナログ−デジタル変換、増幅及び多様な信号処理を行う。映像処理部は、信号処理部で出力される信号に基づいて対象体の超音波映像を形成する。ディスプレイ部は超音波映像をディスプレイする。
【０００４】
一方、超音波装備は対象体、特に患者の特定部位をスキャンする前に患者のＩＤ、名前、生年月日などを含む基本情報と診断科目などによる追加情報とを含む患者情報が入力され、入力された患者情報をデータベースに格納する。また、超音波装備は、ユーザにより入力部を通じて入力された基本情報、即ちＩＤ、名前または生年月日に基づいてデータベースに格納された患者情報を提供している。
【０００５】
従来の超音波装備は、基本情報の全ての音節が正確に入力される場合にのみ基本情報に該当する患者情報を提供する。このため、誤ったＩＤまたは名前を入力した場合、該当患者の基本情報が正しく提供されないという問題がある。
【発明の開示】
【発明が解決しようとする課題】
【０００６】
本発明は前述した問題を解決するためのものであって、ユーザにより入力部を通じて患者の基本情報が音節または単語単位で入力され、入力された音節または単語を含む基本情報と共に追加情報を提供する患者情報提供システム及び方法に関するものである。
【課題を解決するための手段】
【０００７】
本発明の実施例による患者情報提供システムは、  患者の基本情報及び追加情報を含む患者情報を格納するデータベースと、ユーザ入力が音節または単語単位で入力される入力部と、前記入力された各音節または単語を含む基本情報を前記データベースから検出し、前記検出された基本情報を含む基本情報候補リストを形成するプロセッサと、前記基本情報候補リストをディスプレイするディスプレイ部とを備える。
【０００８】
また、本発明の実施例による患者情報提供方法は、患者の基本情報及び追加情報を含む患者情報のデータベースを設け、ユーザによりユーザ入力が音節または単語単位で入力され、前記各音節または単語を含む基本情報を前記データベースから検出し、前記検出された基本情報を含む基本情報候補リストを提供する段階を備える。
【発明の効果】
【０００９】
前述したような本発明は、入力部を通じて基本情報が音節または単語単位で入力されて各音節または単語に該当する患者情報を提供する（基本情報候補リストを表示する）ことができるので、類似の基本情報、即ち類似する患者のＩＤと名前が存在しても、表示された基本情報候補リストから選択することにより、ユーザが患者の基本情報を正確に得ることができる。
【発明を実施するための最良の形態】
【００１０】
以下、添付した図面を参照して本発明の実施例を説明する。
【００１１】
図１に示した通り、本発明による患者情報提供システム１００は、データベース１１０、入力部１２０、プロセッサ１３０及びディスプレイ部１４０を備える。
【００１２】
データベース１１０は、患者の基本情報及び追加情報を含む患者情報を格納する。即ち、データベース１１０は患者のＩＤ、名前及び生年月日を含む基本情報と、診療科目、身体状態、疾病記録、診療記録、担当医師、患者の写真などを含む追加情報とを含む患者情報を格納する。一方、データベース１１０は、各患者情報に該当する多数の超音波映像を格納することができる。本実施例では基本情報として患者のＩＤ、名前及び生年月日を含み、追加情報として患者の写真、診療科目、身体状態、疾病記録、診療記録及び担当医師を含むと説明したが、それだけに限定されず、当業者であれば必要に応じて基本情報と追加情報に含まれる事項を変更できることは十分に理解するであろう。
【００１３】
入力部１２０は、ユーザによりユーザ入力が音節または単語単位（記号・数字を含むことができる）で入力され、ディスプレイ部１４０にディスプレイされた基本情報候補リストから１つの基本情報を選択する選択情報が入力される。入力部１２０はマウス、キーボード、トラックボールなどを備えることができる。
【００１４】
本発明の一実施例によって、プロセッサ１３０は、ユーザにより入力部１２０を通じて図２に示された基本情報入力窓に基本情報の最初の音節が入力され、入力された最初の音節と同一の音節を含む基本情報をデータベース１１０から検出し、検出された基本情報に基づいて第１基本情報候補リストを形成する。一例として、プロセッサ１３０は、図３に示した通り、入力部１２０を通じて基本情報中のＩＤの最初の音節（Ａ）が入力され、入力された最初の音節（Ａ）に基づいてデータベース１１０を照会してＩＤの最初の音節が入力された最初の音節（Ａ）と同一のＩＤを検出し、検出されたＩＤとこれに該当する名前及び生年月日を含む基本情報に基づいて第１の基本情報候補リスト２１１を形成する。
【００１５】
プロセッサ１３０は、入力部１２０を通じて基本情報の２番目の音節が入力されるか、または第１の基本情報候補リストから１つの基本情報が選択されるかを判断する。プロセッサ１３０は入力部１２０を通じて基本情報の２番目の音節が入力されたものと判断されると、第１の基本情報候補リストに含まれた基本情報の２番目の音節が入力された２番目の音節と同一の基本情報を検出し、検出された基本情報に基づいて第２基本情報候補リストを形成する。一例として、プロセッサ１３０は、図４に示した通り、入力部１２０を通じて入力されたＩＤの２番目の音節（Ｂ）に基づいて第１の基本情報候補リスト２１１でＩＤの２番目の音節（Ｂ）が入力された２番目の音節（Ｂ）と同一のＩＤとこれに該当する名前及び生年月日を含む基本情報に基づいて第２の基本情報候補リスト２１２を形成する。
【００１６】
プロセッサ１３０は、入力部１２０を通じて基本情報の３番目の音節が入力されるか、または第２の基本情報候補リストから１つの基本情報が選択されるかを判断する。プロセッサ１３０は、入力部１２０を通じて第２の基本情報候補リストから１つの基本情報が選択されたものと判断されると、選択された基本情報に該当する追加情報をデータベース１１０から検出し、検出された追加情報に基づいて、図５に示した通り、追加情報提供窓２２０を形成する。図５では追加情報として診療科目と担当医師に関する情報を含む追加情報提供窓２２０を示したが、それだけに限定されない。当業者であれば必要に応じて追加情報提供窓に患者の写真、身体状態、疾病記録などを付加することができることを理解するであろう。
【００１７】
本発明の他の実施例によって、プロセッサ１３０はユーザにより入力部１２０を通じて基本情報のＩＤ、名前及び生年月日のうちの一つの最初の音節（記号・数字を含むことができる）が入力される。以下、ユーザにより入力部１２０を通じてＩＤが音節単位で入力されるものと仮定する。
【００１８】
プロセッサ１３０は、図６に示した通り、データベース１１０を照会して入力された最初の音節（Ａ）と同一のＩＤをデータベース１１０から検出し、検出されたＩＤに基づいて第３の基本情報候補リスト３１１を形成する。
【００１９】
プロセッサ１３０は、入力部１２０を通じてＩＤの２番目の音節が入力されるか、または第３の基本情報候補リスト３１１から１つのＩＤが選択されるかを判断する。プロセッサ１３０は、図７に示した通り、入力部１２０を通じてＩＤの２番目の音節（Ｂ）が入力されたものと判断されると、第１の基本情報候補リスト３１１に含まれたＩＤの２番目の音節が入力された２番目の音節（Ｂ）と同一のＩＤを検出し、検出されたＩＤに基づいて第４の基本情報候補リスト３１２を形成する。
【００２０】
プロセッサ１３０は、入力部１２０を通じてＩＤの３番目の音節が入力されるか、または第４の基本情報候補リスト３１２から１つのＩＤが選択されるかを判断する。プロセッサ１３０は入力部１２０を通じて第４の基本情報候補リストから１つのＩＤが選択されたものと判断されると、データベース１１０を照会して選択されたＩＤに該当する基本情報を検出し、検出された基本情報に基づいて、図８に示した通り、基本情報提供窓３２０を形成する。一方、プロセッサ１３０は選択されたＩＤに該当する追加情報をデータベース１１０から検出し、検出された追加情報に基づいて、図９に示した通り、追加情報提供窓３３０を形成する。
【００２１】
前述した実施例では入力部１２０を通じて基本情報が音節単位で入力されて患者情報、即ち基本情報と追加情報を提供するものと説明したが、基本情報が単語単位で入力されて患者情報を提供することもできる。
【００２２】
ディスプレイ部１４０は、患者基本情報入力窓、患者基本情報候補リスト、患者基本情報提供窓及び追加情報提供窓をディスプレイする。
【００２３】
本発明を望ましい実施例を通じて説明し例示したが、当業者であれば添付した特許請求の範囲の事項及び範疇を逸脱せず、様々な変形及び変更がなされることが分かる。
【図面の簡単な説明】
【００２４】
【図１】本発明の実施例による患者情報提供システムの構成を示すブロック図である。
【図２】本発明の実施例による基本情報入力窓を示す例示図である。
【図３】本発明の実施例による第１の基本情報候補リストを示す例示図である。
【図４】本発明の実施例による第２の基本情報候補リストを示す例示図である。
【図５】本発明の実施例による追加情報提供窓を示す例示図である。
【図６】本発明の実施例による第３の基本情報候補リストを示す例示図である。
【図７】本発明の実施例による第４の基本情報候補リストを示す例示図である。
【図８】本発明の実施例による基本情報提供窓を示す例示図である。
【図９】本発明の実施例による追加情報提供窓を示す例示図である。
【符号の説明】
【００２５】
１００：患者情報提供システム
１１０：データベース
１２０：入力部
１３０：プロセッサ
１４０：ディスプレイ部
【図１】
2008293489.tif 000003
【図２】
2008293489.tif 000004
【図３】
2008293489.tif 000005
【図４】
2008293489.tif 000006
【図５】
2008293489.tif 000007
【図６】
2008293489.tif 000008
【図７】
2008293489.tif 000009
【図８】
2008293489.tif 000010
【図９】
2008293489.tif 000011